(57)【要約】【課題】  表示装置で映像表示が中断した場合であっても、それまで表示されていた番組の映像情報を継続して視聴可能とする。【解決手段】  映像コンテンツ再生装置は、表示装置における映像表示の中断を検知した場合（ステップＳ２０１）、その中断の直前に表示装置にて表示されていた番組の映像情報を受信及び再生させるために必要な情報を生成する（ステップＳ２０５）。そして、映像コンテンツ再生装置は、生成した情報を外部装置に送信する（ステップＳ２０６）。【選択図】  図２
2010021650.tif 000002
【特許請求の範囲】
【請求項１】
番組の映像情報を表示可能な表示装置における映像表示の中断を検知する検知手段と、
前記検知手段により前記表示装置における映像表示の中断が検知された場合、当該映像表示の中断の直前に前記表示装置において表示されていた前記番組の映像情報を外部装置において受信及び再生させるために必要な情報を生成する生成手段と、
前記生成手段により生成された情報を前記外部装置に送信する送信手段とを有することを特徴とする情報処理装置。
【請求項２】
前記外部装置に送信される情報は、前記外部装置において前記番組の映像情報を受信及び再生させるための受信コマンド情報及び再生コマンド情報を含むことを特徴とする請求項１に記載の情報処理装置。
【請求項３】
前記外部装置に送信される情報は、前記外部装置において前記番組の映像情報を記録させるための記録コマンド情報を含むことを特徴とする請求項１又は２に記載の情報処理装置。
【請求項４】
前記外部装置を探索する探索手段を更に有することを特徴とする請求項１乃至３の何れか１項に記載の情報処理装置。
【請求項５】
当該情報処理装置に電力を供給するための主電源及びバッテリ装置を更に有し、
前記生成手段及び前記送信手段は、前記バッテリ装置から供給される電力により駆動させることが可能であることを特徴とする請求項１乃至４の何れか１項に記載の情報処理装置。
【請求項６】
番組の映像情報を表示可能な表示装置における映像表示の中断を検知する検知ステップと、
前記検知ステップにより前記表示装置における映像表示の中断が検知された場合、当該映像表示の中断の直前に前記表示装置において表示されていた前記番組の映像情報を外部装置において受信及び再生させるために必要な情報を生成する生成ステップと、
前記生成ステップにより生成された情報を前記外部装置に送信する送信ステップとを含むことを特徴とする情報処理装置の制御方法。
【請求項７】
番組の映像情報を表示可能な表示装置における映像表示の中断を検知する検知ステップと、
前記検知ステップにより前記表示装置における映像表示の中断が検知された場合、当該映像表示の中断の直前に前記表示装置において表示されていた前記番組の映像情報を外部装置において受信及び再生させるために必要な情報を生成する生成ステップと、
前記生成ステップにより生成された情報を前記外部装置に送信する送信ステップとをコンピュータに実行させるためのプログラム。
【発明の詳細な説明】
【技術分野】
【０００１】
本発明は、番組の映像情報を受信し、再生させるための技術に関するものである。
【背景技術】
【０００２】
従来、視聴予約番組に対する視聴処理が一旦実行された後に、停電等によって電源が切断され、電源が復帰したときに、当該視聴予約番組の放送が行われている場合には、当該視聴予約番組を継続して視聴するものが開示されている（例えば、特許文献１参照）。
【０００３】
また、携帯端末がバッテリ不足や、受信環境の影響により放送を見られなくなったときに、家庭等にある据置き型デジタル放送受信機において録画蓄積を行うものが開示されている（例えば、特許文献２参照）。
【０００４】
【特許文献１】特開平１１−１７７９２０号公報
【特許文献２】特開２００５−１２６４３号公報
【発明の開示】
【発明が解決しようとする課題】
【０００５】
しかしながら、従来の技術では停電や故障等によりディスプレイパネルへの映像表示が中断された場合に、それまで視聴していた番組を継続して視聴することができないという問題があった。
【０００６】
そこで、本発明の目的は、表示装置で映像表示が中断した場合であっても、それまで表示されていた番組の映像情報を継続して視聴可能とすることにある。
【課題を解決するための手段】
【０００７】
本発明の情報処理装置は、番組の映像情報を表示可能な表示装置における映像表示の中断を検知する検知手段と、前記検知手段により前記表示装置における映像表示の中断が検知された場合、当該映像表示の中断の直前に前記表示装置において表示されていた前記番組の映像情報を外部装置において受信及び再生させるために必要な情報を取得する取得手段と、前記取得手段により取得された情報を前記外部装置に送信する送信手段とを有することを特徴とする。
本発明の情報処理装置の制御方法は、番組の映像情報を表示可能な表示装置における映像表示の中断を検知する検知ステップと、前記検知ステップにより前記表示装置における映像表示の中断が検知された場合、当該映像表示の中断の直前に前記表示装置において表示されていた前記番組の映像情報を外部装置において受信及び再生させるために必要な情報を取得する取得ステップと、前記取得ステップにより取得された情報を前記外部装置に送信する送信ステップとを含むことを特徴とする。
本発明のプログラムは、番組の映像情報を表示可能な表示装置における映像表示の中断を検知する検知ステップと、前記検知ステップにより前記表示装置における映像表示の中断が検知された場合、当該映像表示の中断の直前に前記表示装置において表示されていた前記番組の映像情報を外部装置において受信及び再生させるために必要な情報を取得する取得ステップと、前記取得ステップにより取得された情報を前記外部装置に送信する送信ステップとをコンピュータに実行させることを特徴とする。
【発明の効果】
【０００８】
本発明においては、表示装置での映像表示の中断が検知された場合、直前に表示されていた番組の映像情報を外部装置において受信させるために必要な情報を当該外部装置に送信するように構成している。従って、本発明によれば、表示装置で映像表示が中断した場合であっても、それまで表示されていた番組の映像情報を継続して視聴することが可能となる。
【発明を実施するための最良の形態】
【０００９】
以下、本発明を適用した好適な実施形態を、添付図面を参照しながら詳細に説明する。なお、以下の実施形態において示す構成は一例に過ぎず、本発明は図示された構成に限定されるものではない。
【００１０】
図１は、本発明の実施形態に係る映像コンテンツ再生装置の構成を示すブロック図である。なお、本実施形態に係る映像コンテンツ再生装置は、本発明の情報処理装置の適用例となる構成である。
【００１１】
図１において、チューナ１０１は外部から映像ストリームを受信する。受信した映像ストリームは分離部１０２へ出力される。
【００１２】
分離部１０２は、受信したパケットデータの復号処理を行い、ＭＰＥＧデータとコンテンツ情報とに分別する。ＭＰＥＧデータはデコーダ１０３に出力される。
【００１３】
デコーダ１０３は、入力されたＭＰＥＧデータの復調処理を行い、映像信号と音声信号とを出力する。出力された映像信号は、画像処理部１０４で高画質化処理が施され、表示制御部１０５を介してディスプレイパネル１０６に表示される。一方、分離部１０２によって分別されたコンテンツ情報は、番組情報取得部１０７へ入力される。
【００１４】
番組情報取得部１０７は、表示中断検知部１０８に接続される。番組情報取得部１０７は、表示中断検知部１０８においてディスプレイパネル１０６での映像表示が中断されたことが検知された場合、分離部１０２から入力されたコンテンツ情報から番組の受信に必要なチャンネル情報を取得し、操作命令作成部１０９へ出力する。なお、ディスプレイパネル１０６での映像表示の中断は、停電や故障等によって発生する。
【００１５】
表示中断検知部１０８は、ディスプレイパネル１０６に接続され、ディスプレイパネル１０６の映像表示が中断したことを検知する。表示中断検知部１０８は、ディスプレイパネル１０６での映像表示の中断を検知すると、番組情報取得部１０７及び周辺端末検知部１１０に通知する。
【００１６】
周辺端末検知部１１０は、表示中断検知部１０８に接続される。周辺端末検知部１１０は、表示中断検知部１０８においてディスプレイパネル１０６の映像表示が中断された場合、通信部１１１を介して番組情報を受信可能な携帯型端末を探索し、携帯型端末のＩＤ（以下、携帯型端末ＩＤと称す）を取得する。また、周辺端末検知部１１０は、探索した携帯型端末が実行可能な操作コマンドを決定する。操作コマンドは、携帯型端末に番組の映像情報を受信させるための受信コマンド情報、携帯型端末に番組の映像情報を再生させるための再生コマンド情報、及び、携帯型端末に番組の映像情報を録画（記録）させるための録画コマンド情報（記録コマンド情報）により構成される。周辺端末検知部１１０は、取得した携帯型端末ＩＤ及び決定した操作コマンドを操作命令生成部１０９に出力する。なお、携帯型端末は、本発明の外部装置の適用例となる構成である。
【００１７】
操作命令生成部１０９は、番組情報取得部１０７からのチャンネル情報の入力と、周辺端末検知部１１０からの携帯型端末ＩＤ及び操作コマンドの入力とを受け、携帯型端末に送信する番組情報を生成する。
【００１８】
図３は、番組情報の構成を示す図である。番組情報は、送信元ＩＤ３０１、送信先ＩＤ３０２、番組チャンネル３０３及び操作コマンド３０４から構成される。操作命令生成部１０９は、当該映像コンテンツ再生装置のＩＤを送信元ＩＤ３０１に設定し、周辺端末検知部１１０から入力された携帯型端末ＩＤを送信先ＩＤ３０２に設定する。また、操作命令生成部１０９は、番組情報取得部１０７から入力されたチャンネル情報を番組チャンネル３０３に設定し、周辺端末検知部１１０から入力された操作コマンドを操作コマンド３０４に設定する。このようにして操作命令生成部１０９で生成された番組情報は、通信部１１１を介して携帯型端末へ送信される。
【００１９】
次に、図２を参照しながら、本実施形態に係る映像コンテンツ再生装置の動作の流れについて説明する。図２は、本実施形態に係る映像コンテンツ再生装置の動作の流れを示すフローチャートである。
【００２０】
表示中断検知部１０８は、ディスプレイパネル１０６の映像表示の中断を常時監視（判定）する（ステップＳ２０１）。ディスプレイパネル１０６において映像表示の中断が発生すると表示中断検知部１０８は映像表示の中断を検出する。なお、ステップＳ２０１は、本発明の検知手段の一処理例である。
【００２１】
映像表示の中断が検出されると、表示中断検出部１０８は番組情報取得部１０７及び周辺端末検知部１１０に対して映像表示の中断を通知する（ステップＳ２０２）。
【００２２】
続いて、番組情報取得部１０７は、表示中断検出部１０８からの上記通知を受けると、分離部１０２によって分別されたコンテンツ情報からチャンネル情報を取得する（ステップＳ２０３）。
【００２３】
続いて、周辺端末検知部１１０は、番組情報を受信可能な携帯型端末を探索し、携帯型端末ＩＤと携帯型端末が実行可能な操作コマンドとを決定する（ステップＳ２０４）。なお、ステップＳ２０４における携帯型端末の探索処理は、本発明の探索手段の一処理例である。
【００２４】
操作命令生成部１０９は、番組情報取得部１０７からチャンネル情報を、並びに、周辺端末検知部１１０から携帯型端末ＩＤ及び操作コマンドを受け、携帯型端末へ送信する番組情報を生成する（ステップＳ２０５）。なお、ステップＳ２０５は、本発明の生成手段の一処理例である。
【００２５】
操作命令生成部１０９は、生成した番組情報を、通信部１１１を介して携帯型端末に送信する（ステップＳ２０６）。ステップＳ２０６は、本発明の送信手段の一処理例である。
【００２６】
本実施形態においては、ディスプレイパネル１０６での映像表示の中断が検知された場合、直前に表示されていた番組の映像情報を携帯型端末において受信させるために必要な情報を当該携帯型端末に送信するように構成している。従って、ディスプレイパネル１０６で映像表示が中断した場合であっても、それまで表示されていた番組の映像情報を継続して視聴することが可能となる。
【００２７】
なお、本実施形態に係る映像コンテンツ再生装置は、当該映像コンテンツ再生装置に電力を供給するための主電源及びバッテリ装置を備える。図２のステップＳ２０５及びＳ２０６を実行する機能構成は、バッテリ装置から供給される電力によって駆動させることが可能である。
【００２８】
上述した本発明の実施形態を構成する各手段及び各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００２９】
また、本発明は、例えば、システム、装置、方法、プログラムもしくは記録媒体等としての実施形態も可能であり、具体的には、一つの機器からなる装置に適用してもよい。
【００３０】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００３１】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００３２】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００３３】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００３４】
【図１】本発明の実施形態に係る映像コンテンツ再生装置の構成を示すブロック図である。
【図２】本発明の実施形態に係る映像コンテンツ再生装置の動作の流れを示すフローチャートである。
【図３】番組情報の構成を示す図である。
【符号の説明】
【００３５】
１０１  チューナ
１０２  分離部
１０３  デコーダ
１０４  画像処理部
１０５  表示制御部
１０６  ディスプレイパネル
１０７  番組情報取得部
１０８  表示中断検知部
１０９  操作命令作成部
１１０  周辺端末検知部
１１１  通信部
３０１  送信元ＩＤ
３０２  送信先ＩＤ
３０３  番組チャンネル
３０４  操作コマンド
【図１】
2010021650.tif 000003
【図２】
2010021650.tif 000004
【図３】
2010021650.tif 000005